(57)【要約】【課題】  袋本体の開封部を簡易に封緘すること。【解決手段】  袋１０の封緘構造であって、袋本体１０Ａの外縁部の一部に切離可能な封緘片１５を設け、封緘片１５は袋本体１０Ａの開封部１４が挿入されるスリット形成部１６を備えるもの。【選択図】  図１
2005298019.tif 000002
【特許請求の範囲】
【請求項１】
袋本体の外縁部の一部に接離可能な封緘片を設け、封緘片は袋本体の開封部が挿入されるスリット形成部を備える袋の封緘構造。
【請求項２】
前記封緘片として、袋本体の開封部に連設するシール部を用いる請求項１に記載の袋の封緘構造。
【請求項３】
前記袋本体のシール部が、袋本体の両側のガセット部の上部を内側に折り込んでヒートシールされたものであり、このシール部を封緘片として用いる請求項２に記載の袋の封緘構造。
【請求項４】
前記袋本体の開封部に、封緘片のスリットが係止し得る係止部を設けた請求項１〜３のいずれかに記載の袋の封緘構造。
【請求項５】
前記封緘片に、取手を設けた請求項１〜４のいずれかに記載の袋の封緘構造。
【発明の詳細な説明】
【技術分野】
【０００１】
本発明は袋の封緘構造に関する。
【背景技術】
【０００２】
洗剤等のための袋では、開封後の内容物の吸湿を防ぐ等のために、袋本体の開封部をクリップや輪ゴムで止めて封緘している。
【０００３】
尚、特許文献１には、袋本体の外縁部の一部に切離可能な帯片を設け、袋本体の内容物を排出した後の廃棄段階で、帯片を袋本体から切離し、袋本体を巻き、折り畳み等し、両端部を帯片のスリットに差し込み、その巻き、折り畳み等して小さくしたゴミとしての廃棄形態を維持するものが開示されている。
【特許文献１】特開2000-25788
【発明の開示】
【発明が解決しようとする課題】
【０００４】
従来技術では、袋本体の開封部の封緘手段として、袋本体と別体のクリップや輪ゴムを必要とし、煩雑である。
【０００５】
また、特許文献１の帯片は、袋本体の用済み後の廃棄形態を維持するものであり、袋本体の開封部の封緘に関するところが一切ない。
【０００６】
本発明の課題は、袋本体の開封部を簡易に封緘することにある。
【課題を解決するための手段】
【０００７】
請求項１の発明は、袋本体の外縁部の一部に接離可能な封緘片を設け、封緘片は袋本体の開封部が挿入されるスリット形成部を備える袋の封緘構造である。
【発明を実施するための最良の形態】
【０００８】
（実施例１）（図１〜図３）
図１の袋１０は、ガセット袋であり、図２に示す如く、袋本体１０Ａを胴部１１と底部１２により形成する。袋１０は、袋本体１０Ａの内容物収容部１０Ｂへの内容物の充填後に、袋本体１０Ａにおける胴部１１の正面板１１Ａと背面板１１Ｂに挟まれる両側のガセット部１１Ｃ、１１Ｃの上部を内側に折り込んでヒートシールしたシール部１３とする。袋１０は、内容物収容部１０Ｂからの内容物の取出し時に、シール部１３を切離線１３Ａに沿って切離し、内容物収容部１０Ｂの上部の開封部１４を開封可能にする。袋１０は、袋本体１０Ａにおける切離線１３Ａの両端部にノッチ１３Ｂを形成し、又は該切離線１３Ａを貫通部とつなぎ部が交互に一連をなすミシン目とすること等にて表示し、この切離線１３Ａをハサミ等により切断、又はミシン目の引裂等により切離可能とすることができる。
【０００９】
袋１０は、袋本体１０Ａの開封部１４に連設するシール部１３を、該シール部１３が切離線１３Ａに沿って切離されて開封された開封部１４のための封緘片１５として用いる。封緘片１５は、袋本体１０Ａの開封済の開封部１４が挿入されるスリット形成部１６を備える。
【００１０】
封緘片１５は、袋本体１０Ａにおける正面板１１Ａと背面板１１Ｂの間でガセット部１１Ｃを内側に折り込んでヒートシールした厚肉積層部により両端部を構成し、この両端部間では正面板１１Ａと背面板１１Ｂをヒートシールした積層部とする。封緘片１５のスリット形成部１６は、封緘片１５の両端部の厚肉積層部に丸孔１７Ａを打ち抜き形成し、封緘片１５の両側の丸孔１７Ａの間に貫通部とつなぎ部が交互に一連をなすミシン目１７Ｂを形成する。封緘片１５のスリット形成部１６は、両側の丸孔１７Ａの間のミシン目１７Ｂのつなぎ部を切開することにより、両側の丸孔１７Ａに連通するスリット１７を形成可能にする。
【００１１】
封緘片１５は、スリット形成部１６に形成したスリット１７に、袋本体１０Ａの開封部１４を挿入することにより、袋本体１０Ａの開封部１４を封緘可能にする。ここで、袋本体１０Ａの開封部１４の両側縁部（正面板１１Ａと背面板１１Ｂの両側縁部）には、該開封部１４を挿入した封緘片１５のスリット１７（丸孔１７Ａ）が係止し得る谷状係止部１８が設けられる。
【００１２】
本実施例によれば以下の作用効果を奏する。
(a)袋１０の開封後に、袋本体１０Ａから切離した封緘片１５のスリット形成部１６に形成したスリット１７に、袋本体１０Ａの開封部１４を挿入することにより、袋本体１０Ａの開封部１４を簡易に封緘できる。
【００１３】
(b)袋本体１０Ａの開封時にその開封部１４から切離したシール部１３を上述(a)の封緘片１５として用いることにより、袋本体１０Ａに格別の封緘片１５を設ける必要がなく、袋本体１０Ａの形態を単純化しながら上述(a)を実現できる。但し、本発明では、袋本体１０Ａの外縁部の任意の一部に切離可能な封緘片１５を設けるものであっても良い。
【００１４】
(c)封緘片１５として用いる袋本体１０Ａのシール部１３が、袋本体１０Ａの両側のガセット部１１Ｃの上部を内側に折り込んでヒートシールされたものとすることにより、封緘片１５の剛性を高めることができる。従って、封緘片１５のスリット形成部１６に形成したスリット１７に袋本体１０Ａの開封部１４を挿入したとき、袋本体１０Ａの開封部１４の封緘片１５による封緘形態を安定化できる。
【００１５】
(d)袋本体１０Ａの開封部１４に、封緘片１５のスリット１７が係止し得る係止部１８を設けたから、封緘片１５を袋本体１０Ａの開封部１４から抜け止めし、袋本体１０Ａの開封部１４の封緘片１５による封緘形態を安定化できる。
【００１６】
また、封緘片１５のスリット形成部１６が、両側の丸孔１７Ａの間にミシン目１７Ｂを形成し、ミシン目１７Ｂが貫通部の間につなぎ部を備えることにより、袋１０の製造当初から全長スリット１７を形成するものに比して、流通での外観を向上するとともに、他物品等との引っかかりを防止することができる。
【００１７】
尚、封緘片１５のスリット形成部１６は、両側の丸孔１７Ａの間に形成されるミシン目１７Ｂを全切線とし、両側の丸孔１７Ａを結ぶスリット１７を袋１０の製造当初からスリット１７とするものでも良い。
【００１８】
図３（Ａ）の封緘片１５は、スリット形成部１６の丸孔１７Ａ、ミシン目１７Ｂを斜め配置し、袋本体１０Ａの開封部１４の全巾に対し、丸孔１７Ａ、ミシン目１７Ｂにより長いスリット１７を形成可能にしたものである。
【００１９】
図３（Ｂ）の封緘片１５は、スリット形成部１６の丸孔１７Ａを大径孔とし、袋本体１０Ａから切離される前のシール部１３（封緘片１５）段階で、スリット１７を形成し、スリット１７の上側辺の折り曲げ巾ｔを広巾とし、このスリット１７を、このスリット１７に差し入れた手指にやさしい、袋１０のための取手として利用可能にしたものである。
【００２０】
図３（Ｃ）の封緘片１５は、スリット形成部１６のミシン目１７Ｂの中間部に複数の指挿入孔２１Ａを設け、この指挿入孔２１Ａを袋１０のための取手２１として利用可能にしたものである。
【００２１】
図３（Ｄ）の封緘片１５は、スリット形成部１６に長孔２２Ａを設け、この長孔２２Ａを袋１０のための取手２２として利用可能にしたものである。
【００２２】
図３（Ｅ）の封緘片１５は、スリット形成部１６に両側の丸孔２３Ａと、両側の丸孔２３Ａに連通するＵ字状スリット２３Ｂを形成し、このスリット２３Ｂを袋１０のための取手２３として利用可能にしたものである。
【００２３】
（実施例２）（図４）
図４の袋３０が図１の袋１０と異なる点は、袋本体１０Ａにおける内容物収容部１０Ｂの上部の開封部１４（１４Ａ、１４Ｂ）を長尺折返し状にしたことにある。開封部１４Ａ、１４Ｂは、折返し線３１に関して概ね線対称状をなし、互いに折り重なり可能にされる上下の谷状係止部１８、１８を折返し線３１の上下に備える。
【００２４】
袋３０にあっては、袋本体１０Ａから切離された封緘片１５のスリット形成部１６に形成されるスリット１７に、袋本体１０Ａの折り重ねられた開封部１４（１４Ａ、１４Ｂ）を挿入することにより、袋本体１０Ａの開封部１４（１４Ａ、１４Ｂ）をより確実に封緘可能にする。開封部１４を挿入した封緘片１５のスリット１７（丸孔１７Ａ）は、開封部１４の谷状係止部１８に係止する。
【００２５】
（実施例３）（図５）
図５の袋４０が図１の袋１０と異なる点は、袋本体１０Ａにおける内容物収容部１０Ｂの上部の開封部１４を上広がりテーパ状にしたことにある。封緘片１５のスリット１７の全巾をａ、開封部１４の上辺の巾をｗ1、下辺の巾をｗ2とするとき、ｗ1＞ａ＞ｗ2である。
【００２６】
袋４０において、袋本体１０Ａから切離された封緘片１５のスリット形成部１６に形成されるスリット１７に、袋本体１０Ａの開封部１４が挿入されて開封部１４が封緘されたとき、封緘片１５のスリット１７は開封部１４の上辺と下辺の間の両側の外縁が構成するテーパ状係止部４１に係止し、抜け止めされる。
【００２７】
（実施例４）（図６）
図６の袋５０が図１の袋１０と異なる点は、袋本体１０Ａにおける内容物収容部１０Ｂの上部の開封部１４の両側縁部に、外方に切り開かれたくし歯状係止部５１を設けたことにある。
【００２８】
袋５０において、袋本体１０Ａから切離された封緘片１５のスリット形成部１６に形成されるスリット１７に、袋本体１０Ａの開封部１４が挿入されて開封部１４が封緘されたとき、封緘片１５のスリット１７は開封部１４の両側の外縁のくし歯状係止部５１に係止し、抜け止めされる。
【００２９】
（実施例５）（図７）
図７の袋６０が図１の袋１０と異なる点は、袋本体１０Ａにおける内容物収容部１０Ｂの上部の開封部１４の両側縁部の表面（正面板１１Ａ、背面板１１Ｂとガセット部１１Ｃとのヒートシール部）に、エンボス状係止部（滑り止め部）６１を設けたことある。
【００３０】
袋６０において、袋本体１０Ａから切離された封緘片１５のスリット形成部１６に形成されるスリット１７に、袋本体１０Ａの開封部１４が挿入されて開封部１４が封緘されたとき、封緘片１５のスリット１７は開封部１４の両側の外縁のエンボス状係止部６１の凸部に係止し、抜け止めされる。
【００３１】
（実施例６）（図８）
図８の袋７０が図１の袋１０と異なる点は、袋本体１０Ａにおける内容物収容部１０Ｂの上部の開封部１４の表面（正面板１１Ａと背面板１１Ｂ）に、エンボス状係止部（滑り止め部）７１を設けたことある。
【００３２】
袋７０において、袋本体１０Ａから切離された封緘片１５のスリット形成部１６に形成されるスリット１７に、袋本体１０Ａの開封部１４が挿入されて開封部１４が封緘されたとき、封緘片１５のスリット１７は開封部１４の表面のエンボス状係止部７１の凸部に係止し、抜け止めされる。
【００３３】
尚、本発明の袋は、ガセット袋に限定されず、自立可撓袋等のパウチであっても良い。
【図面の簡単な説明】
【００３４】
【図１】図１は実施例１の袋を示す模式図である。
【図２】図２は袋のヒートシール状態を示す模式図である。
【図３】図３は封緘片の変形例を示す模式図である。
【図４】図４は実施例２の袋を示す模式図である。
【図５】図５は実施例３の袋を示す模式図である。
【図６】図６は実施例４の袋を示す模式図である。
【図７】図７は実施例５の袋を示す模式図である。
【図８】図８は実施例６の袋を示す模式図である。
【符号の説明】
【００３５】
１０、３０、４０、５０、６０、７０  袋
１０Ａ  袋本体
１１Ｃ  ガセット部
１３  シール部
１３Ａ  切離線
１４  開封部
１５  封緘片
１６  スリット形成部
１７  スリット
１８、４１、５１、６１、７１  係止部
２１、２２、２３  取手
【図１】
2005298019.tif 000003
【図２】
2005298019.tif 000004
【図３】
2005298019.tif 000005
【図４】
2005298019.tif 000006
【図５】
2005298019.tif 000007
【図６】
2005298019.tif 000008
【図７】
2005298019.tif 000009
【図８】
2005298019.tif 000010
【手続補正書】
【提出日】平成16年5月14日(2004.5.14)
【手続補正１】
【補正対象書類名】特許請求の範囲
【補正対象項目名】請求項１
【補正方法】変更
【補正の内容】
【請求項１】
袋本体の外縁部の一部に切離可能な封緘片を設け、封緘片は袋本体の開封部が挿入されるスリット形成部を備える袋の封緘構造。
【手続補正２】
【補正対象書類名】明細書
【補正対象項目名】０００７
【補正方法】変更
【補正の内容】
【０００７】
請求項１の発明は、袋本体の外縁部の一部に切離可能な封緘片を設け、封緘片は袋本体の開封部が挿入されるスリット形成部を備える袋の封緘構造である。